(57)【特許請求の範囲】
【請求項１】
被植栽面に並列に敷設される複数のパネルを備え、
この各パネルの縁端部の近傍に植栽された植物の根部から地表面に露出する茎基部を覆って隣接するパネルの縁端部を重合して敷設し、
この隣接するパネルの縁端部の重合部の隙間に植物の茎基部を位置させて縁端部が重合された上側のパネルの縁端面から植物の茎部をパネル表面に露出させることを特徴とする植栽グランドカバー装置。
【請求項２】
パネルは不織布にて形成したことを特徴とする請求項１記載の植栽グランドカバー装置。
【請求項３】
被植栽面に並列に敷設されるパネルの縁端部の近傍に植物を植え込み、このパネルに隣接して敷設されるパネルの縁端部にて植栽された植物の根部から地表面に露出する茎基部を覆ってこの隣接するパネルの縁端部を重合して敷設し、
この隣接するパネルの縁端部の重合部の隙間に植物の茎基部を位置させて縁端部が重合された上側のパネルの縁端面から植物の茎部をパネル表面に露出させることを特徴とする植栽グランドカバーの施工方法。
【請求項４】
不織布にて形成したパネルを用いることを特徴とする請求項３記載の植栽グランドカバーの施工方法。
【発明の詳細な説明】
【０００１】
【発明の属する技術分野】
本発明は、マルチングといわれる例えば、公園緑地、歩道回り、道路周辺の未利用地、法面、路肩、中央分離帯などにおける被植栽面の雑草の繁茂を防止するとともに美観を図るために、植栽された植物の根元回りに覆う植栽グランドカバー装置およびその施工方法に関する。
【０００２】
【従来の技術】
従来のこの種の植栽グランドカバーは、パネルの縁端部には、植栽した植物の根部から地表面に露出する茎基部を挿通する切り込みなどによる挿通部を形成し、このパネルの縁端部に隣接するパネルの縁端部を突き合わせ接合されるようにパネルを敷設する植栽グランドカバーの施工方法が採られていた。
【０００３】
【発明が解決しようとする課題】
この従来の方法では、各パネルの縁端部に形成した植栽した植物の茎基部を挿通する挿通部から地表面に突出させてパネルを敷設され、パネルの敷設面からは雑草は繁茂することがないが、隣接するパネルの縁端部は互いに突き合わせ接合されるように敷設されるため、隣接するパネルの縁端部間に被植栽面の地表面が露出され、この隣接するパネルの縁端部間から地表面に植物の種子が入りやすく、雑草が繁茂して美観を損ない易く、除草など管理に手数が掛かる問題を有している。
【０００４】
さらに、従来のパネルの素材は再生紙など紙を主材としているため、雨水などで濡れた含水状態では除草時に破れやすく、また、強風によって破れてめくれて飛散し易い問題を有している。
【０００５】
本発明は上記問題点に鑑みなされたもので、植物を植栽する地表面が露出されることがなく、雑草が発芽しにくく雑草の除去管理が容易にでき、また、耐久性に優れた作業性のよい植栽グランドカバー装置およびその施工方法を提供するものである。
【０００６】
【課題を解決するための手段】
請求項１記載の発明の植栽グランドカバー装置は、被植栽面に並列に敷設される複数のパネルを備え、この各パネルの縁端部の近傍に植栽された植物の根部から地表面に露出する茎基部を覆って隣接するパネルの縁端部を重合して敷設し、この隣接するパネルの縁端部の重合部の隙間に植物の茎基部を位置させて縁端部が重合された上側のパネルの縁端面から植物の茎部をパネル表面に露出させるものである。
【０００７】
そして、各パネルの縁端部の近傍に植栽された植物の根部を植え込んだ地表面が隣接するパネルの縁端部の重合部にて覆われ、地表面が露出されないため、雑草などの種子が発芽することがないので、雑草が繁茂することがない。
【０００８】
請求項２記載の発明の植栽グランドカバー装置は、請求項１記載の植栽グランドカバー装置において、パネルは不織布にて形成したものである。
【０００９】
そして、パネルは雨水などで濡れた含水状態でも紙を主材としたパネルに比して破れにくく、除草時にパネルを破損したり、強風によって破れて飛散することを低減できる。
【００１０】
請求項３記載の発明の植栽グランドカバーの施工方法は、被植栽面に並列に敷設されるパネルの縁端部の近傍に植物を植え込み、このパネルに隣接して敷設されるパネルの縁端部にて植栽された植物の根部から地表面に露出する茎基部を覆ってこの隣接するパネルの縁端部を重合して敷設し、この隣接するパネルの縁端部の重合部の隙間に植物の茎基部を位置させて縁端部が重合された上側のパネルの縁端面から植物の茎部をパネル表面に露出させるものである。
【００１１】
そして、各パネルの縁端部の近傍に植栽された植物の根部を植え込んだ地表面が隣接するパネルの縁端部の重合部にて覆うことができ、地表面が露出されないため、雑草などの種子が発芽することがないので、雑草が繁茂することがないものである。
【００１２】
請求項４記載の発明の植栽グランドカバー装置は、請求項３記載の植栽グランドカバーの施工方法において、不織布にて形成したパネルを用いたものである。
【００１３】
そして、パネルは雨水などで濡れた含水状態でも紙を主材としたパネルに比して破れにくく、パネルの敷設によるカバー施工が容易で、除草時にパネルを破損したり、強風によって破れて飛散することを低減できる。
【００１４】
【発明の実施の形態】
本発明の一実施の形態を図１ないし図３に基づいて説明する。
【００１５】
被植栽面10に並列に敷設されるパネル11は、例えば、ポリエステル樹脂繊維などの合成繊維を主成分とするスパンボンド不織布12，13を適宜の箇所を接着などで固着して積層して形成される。この上面側のスパンボンド不織布12は厚みが薄く屈曲可能な硬質性を有し、下面側のスパンボンド不織布13は厚みが厚くフェルト状の柔軟性を有している。
【００１６】
被植栽面10に並列に敷設される各パネル11の一側縁端部の近傍に植え込んだ植物14の根部15から被植栽面10から地表面に露出する茎基部16を覆って隣接するパネル11，11の縁端部を重合して敷設する。そして、この隣接するパネル11，11の縁端部の重合部17の隙間18に植物14の茎基部16を位置させて縁端部が重合された上面側のパネル11の一側縁端面から植物14の茎部19をパネル11，11の表面に露出させる。
【００１７】
そして、このパネル11，11の重合部17をピンなどの止め具25にて被植栽面10に固定するとともにパネル11の一側縁端部、例えば右側縁端部の上側には、左右方向に隣接するパネル11の他端縁端部を重合した重合部20を形成し、この重合部20をピンなどの止め具25にて被植栽面10に固定する。
【００１８】
次に、この実施の形態の施工方法について説明する。
【００１９】
例えば、法面の被植栽面10に並列に敷設されるパネル11の上側となる一側縁端部の近傍に植物14を植え込み、このパネル11に隣接して敷設されるパネル11の下側となる他側縁端部にて植栽された植物14の根部15から被植栽面10の地表面に露出する茎基部16を覆ってこの隣接するパネル11，11の縁端部を重合して敷設し、この隣接するパネル11，11の縁端部の重合部17の隙間18に植物14の茎基部16を位置させて縁端部が重合された上側のパネル11の一側縁端面から植物14の茎部19をパネル11，11の表面に露出させる。
【００２０】
そして、上下方向および左右方向に隣接するパネル11の縁端部の重合部17，20を形成し、この重合部20をピンなどの止め具25にて被植栽面10に固定する。
【００２１】
この実施の形態の作用を説明する。
【００２２】
各パネル11，11の縁端部の近傍に植栽された植物14の根部15を植え込んだ被植栽面10の地表面が隣接するパネル11，11の縁端部の重合部17にて覆われ、隣接するパネル11，11の間に地表面が露出されないため、飛散した雑草などの種子が発芽することがない。しかも、隣接するパネル11，11の縁端部を重合するため、隣接するパネル11，11を並列に敷設する際の縁端部間に隙間が生じないように揃えて敷設するような従来の繁雑な作業を必要とせず、施工作業性が良好となる。
【００２３】
また、パネル11はスパンボンド不織布12，13にて形成されるため、雨水などで濡れて含水状態でも破れにくく、雑草の除去時に破れたり、強風で引き裂かれて飛散することがない。
【００２４】
さらに、パネル11は上側のスパンボンド不織布12は厚みが薄い屈曲可能な硬質性を有しているため、飛散した種子が付着しにくく、飛散した種子が発芽することなく、また、下側のスパンボンド不織布13は厚みが厚くフェルト状の柔軟性を有しているため、重合したパネル11，11の密着性が良く、種子がパネル11，11の重合部17の隙間から被植栽面10の地表面に入り込むことがなく、雑草が発芽して繁茂することがなく、雑草の除去管理が軽減できる。
【００２５】
また、パネル11は下側の不織布は柔軟性を有しているため、被植栽面10の地表面に馴染み易く、被植栽面10の整地工事をほとんど必要なく、整地工事が容易になる。
【００２６】
さらに、パネル11によって被植栽面10の地表面は覆われているため、土壌水分の蒸発が防止され、植物の育成に良好となる。
【００２７】
さらに、他の実施の形態を図４ないし図６に基づいて説明する。
【００２８】
被植栽面10に並列に敷設される複数のパネル11を備え、この各パネル11は少なくとも一つの縁端部の近傍に植栽された植物の根部から地表面に露出する茎基部を挿通する挿通部21を形成し、このパネル11に形成した植物14の茎基部16を挿通する挿通部21を露出して隣接するパネル11の縁端部を重合して敷設し、このパネル11の縁端部に形成した挿通部21に植物の茎基部16を位置させてパネル11の縁端部から植物14の茎部19をパネル11の表面に露出させる。
【００２９】
この植物14の根部15から被植栽面10の地表面に露出する茎基部16を挿通するパネル11の挿通部21は、上面側のスパンボンド不織布12の一側縁端部に向かって拡開状の切り込みにて形成した構成、または、上面側のスパンボンド不織布12の一側縁端部に形成した切り込み線の内端部に円形状の打ち抜き孔を形成した構成など適宜の構成とすることができる。
【００３０】
なお、このパネル11は、例えば、ポリエステル樹脂繊維などの合成繊維を主成分とする厚みが薄い屈曲可能に硬質性のスパンボンド不織布12にて形成される。
【００３１】
そして、このパネル11，11の重合部17をピンなどの止め具25にて被植栽面10に固定するとともにパネル11の一側縁端部、例えば右側縁端部の上側には、左右方向に隣接するパネル11の他端縁端部を重合した重合部（図示せず）を形成し、この重合部をピンなどの止め具25にて被植栽面10に固定する。
【００３２】
次に、この実施の形態の作用について説明する。
【００３３】
この実施の形態でも、植栽する植物14の茎基部16をパネル11の挿通部21から挿通してパネル11から突出させ、この状態でパネル11の挿通部21から植物14の茎基部を挿通してパネル11の表面に露出させることができ、また、隣接するパネル11の縁端部を重合するため、パネル11の縁端部間の隙間から被植栽面10の地表面に植物の種子が入り込むことがなく、植物の植え込みとグランドカバーの施工が容易となる。
【００３４】
しかも、隣接するパネル11，11の縁端部を重合するため、隣接するパネル11，11を並列に敷設する際の縁端部間に隙間が生じないようにないように揃えて敷設するような従来の繁雑な作業を必要とせず、施工作業性が良好となる。
【００３５】
また、パネル11はスパンボンド不織布12にて形成されるため、雨水などで濡れて含水状態でも破れにくく、雑草の除去時に破れたり、強風で引き裂かれて飛散することがない。
【００３６】
さらに、パネル11はスパンボンド不織布12は厚みが薄い硬質性を有しているため、飛散した種子が付着しにくく、飛散した種子が発芽することないとともに屈曲性を有しているため、重合したパネル11，11の密着性が良く、種子がパネル11，11の重合部17の隙間から被植栽面10の地表面に入り込むことがなく、雑草が発芽して繁茂することがなく、雑草の除去管理が軽減できる。
【００３７】
さらに、パネル11によって被植栽面10の地表面は覆われているため、土壌水分の蒸発が防止され、植物の育成に良好となる。
【００３８】
前記各実施の形態では、パネル11は、例えば、ポリエステル樹脂繊維などの合成繊維を主成分とする厚みが薄く屈曲可能な硬質性スパンボンド不織布12と、厚みが厚くフェルト状の柔軟性を有しているスパンボンド不織布13とを積層し、または厚みが薄く屈曲可能な硬質性を有するスパンボンド不織布12を単体で用いたが、植栽する植物の種類に応じて適宜に選択する。
【００３９】
【発明の効果】
請求項１記載の発明によれば、各パネルの縁端部の近傍に植栽された植物の根部を植え込んだ地表面が隣接するパネルの縁端部の重合部にて覆われ、地表面が露出されないため、雑草などの種子が発芽することがないので、雑草が繁茂することがない。
【００４０】
請求項２記載の発明によれば、パネルは雨水などで濡れた含水状態でも紙を主材としたパネルに比して破れにくく、除草時にパネルを破損したり、強風によって破れて飛散することを低減できる。
【００４１】
請求項３記載の発明によれば、各パネルの縁端部の近傍に植栽された植物の根部を植え込んだ地表面が隣接するパネルの縁端部の重合部にて覆うことができ、地表面が露出されないため、雑草などの種子が発芽することがないので、雑草が繁茂することがないものである。
【００４２】
請求項４記載の発明によれば、パネルは雨水などで濡れた含水状態でも紙を主材としたパネルに比して破れにくく、パネルの敷設によるカバー施工が容易で、除草時にパネルを破損したり、強風によって破れて飛散することを低減できる。
【図面の簡単な説明】
【図１】本発明の植栽グランドカバー装置およびその施工方法の一実施の形態を示すパネルの縁端部の重合部の縦断側面図である。
【図２】同上植栽グランドカバー装置の説明側面図である。
【図３】同上植栽グランドカバー装置の説明平面図である。
【図４】本発明の植栽グランドカバー装置およびその施工方法の他の実施の形態を示すパネルの縁端部の重合部の縦断側面図である。
【図５】同上植栽グランドカバー装置の説明側面図である。
【図６】同上植栽グランドカバー装置の説明平面図である。
【符号の説明】
10    被植栽面
11    パネル
14    植物
15    根部
16    茎基部
17    重合部
19    茎部
21    挿通部
【図１】
0003574752.tif 000002
【図２】
0003574752.tif 000003
【図３】
0003574752.tif 000004
【図４】
0003574752.tif 000005
【図５】
0003574752.tif 000006
【図６】
0003574752.tif 000007